(57)【要約】  液体薬剤を送達する自動注射デバイス（１１０、２１０）が提供される。デバイスは、近位端（２１）および遠位端（２０）を有する注射器本体（１１１）と；注射器本体内に受け入れられたシリンジ（１１５）と；注射器本体の遠位端内の開口部の方へ延びるようにシリンジの第１の端部内に配置された針（１１７）と；患者の皮膚に対する封止を形成し、それによって使用中に注射器本体内に閉じた容積を画成するように注射器本体の遠位端に配置された封止要素（１２４）とを含む。自動注射器は、閉じた容積内に減圧を生成して自動注射デバイスを患者の皮膚に対して引き寄せるように構成される。自動注射デバイスは、注射プロセス中に注射器本体（１１１）内に減圧を生成するように構成された減圧機構を含む。減圧機構は、可動部材（１２２、２１２）を含み、可動部材は、第１の位置から第２の位置への可動部材（１２２、２１２）の動きが、注射器本体（１１１）内の閉じた容積を拡大して閉じた容積内に減圧を生成するように構成される。可動部材（１２２、２１２）は、第２の位置へ付勢される。
2019517369.tif 000002
【特許請求の範囲】
【請求項１】
液体薬剤を送達する自動注射デバイス（１１０、２１０）であって：
近位端（２１）および遠位端（２０）を有する注射器本体（１１１）と、
該注射器本体内に受け入れられたシリンジ（１１５）と、
注射器本体の遠位端内の開口部の方へ延びるようにシリンジの第１の端部内に配置された針（１１７）と、
患者の皮膚に対する封止を形成し、それによって使用中に注射器本体内に閉じた容積を画成するように注射器本体の遠位端に配置された封止要素（１２４）とを含み、
ここで、自動注射器は、閉じた容積内に減圧を生成して該自動注射デバイスを患者の皮膚に対して引き寄せるように構成され；
該自動注射デバイスは、注射プロセス中に注射器本体（１１１）内に減圧を生成するように構成された減圧機構を含み、該減圧機構は、可動部材（１２２、２１２）を含み、該可動部材は、第１の位置から第２の位置への可動部材（１２２、２１２）の動きが、注射器本体（１１１）内の閉じた容積を拡大して閉じた容積内に減圧を生成するように構成され、可動部材（１２２、２１２）は、第２の位置へ付勢される、前記自動注射デバイス。
【請求項２】
シリンジ（１１５）は、第１の端部の反対側に第２の端部を含み、該第２の端部は、開いており、注射器本体（１１１）内の閉じた容積と流体連通しており、ここで、減圧機構は、シリンジを含む、請求項１に記載の自動注射デバイス（１１０、２１０）。
【請求項３】
ニードルスリーブ（１１３）をさらに含み、該ニードルスリーブは、該ニードルスリーブが注射器本体（１１１）の遠位端（２０）から延びて針（１１７）を取り囲む伸長位置と、ニードルスリーブが注射器本体内へ後退して針を露出させる後退位置との間で可動である、請求項１または２に記載の自動注射デバイス（１１０、２１０）。
【請求項４】
可動部材（２１２）を第１の位置で保持し、ニードルスリーブ（１１３）が伸長位置から後退位置へ動くと可動部材を解放するように構成された保持機構をさらに含む、請求項３に記載の自動注射デバイス（２１０）。
【請求項５】
ニードルスリーブ（１１３）は、第１の連結要素（１２６）を含み、可動部材（１２２）は、第２の連結要素（１２７）を含み、該第１および第２の連結要素は、ニードルスリーブが後退位置へ動くと係合する、請求項３に記載の自動注射デバイス（１１０）。
【請求項６】
注射器本体（１１１）は、空気が注射器本体から流れ出ることを可能にするが、空気がデバイス外から注射器本体内へ流れ込むことを防止するように構成された逆止め弁（２１６）を含む、請求項１〜５のいずれか１項に記載の自動注射デバイス（１１０、２１０）。
【請求項７】
封止要素（１２４）は、遠位端（２０）で注射器本体（１１１）の縁の周りに配置された弾性の環状封止部材を含む、請求項１〜６のいずれか１項に記載の自動注射デバイス（１１０、２１０）。
【請求項８】
閉じた容積内の減圧を注射器本体（１１１）の外側の空気圧に等しくするように動作可能な解放要素（１２４ａ、１２８）を含む、請求項１〜７のいずれか１項に記載の自動注射デバイス（１１０、２１０）。
【請求項９】
解放要素は、逃し弁（１２８）を含み、自動注射デバイスは、薬剤送達プロセスが完了すると逃し弁を自動的に動作させるように構成された解放機構をさらに含む、請求項８に記載の自動注射デバイス（１１０、２１０）。
【請求項１０】
解放要素は、使用者が解放要素を作動させることができるように手動で動作可能である、請求項８または９に記載の自動注射デバイス（１１０、２１０）。
【請求項１１】
シリンジ（１１５）は、液体薬剤（１１８）または液体薬剤のカートリッジを含む、請求項１〜１０のいずれか１項に記載の自動注射デバイス（１１０、２１０）。
【請求項１２】
液体薬剤（１１８）を送達する自動注射デバイス（１１０、２１０）の動作方法であって、該自動注射デバイスは、
近位端（２１）および遠位端（２０）を有する注射器本体（１１１）と、
該注射器本体内に受け入れられたシリンジ（１１５）と、
注射器本体の遠位端内の開口部の方へ延びるようにシリンジの第１の端部内に配置された針（１１７）と、
注射器本体の遠位端に配置された封止要素（１２４）と、
第１の位置から第２の位置へ可動であり、該第２の位置へ付勢される可動部材（１２２、２１２）を含む減圧機構と
を含み、
注射器本体の遠位端を患者の皮膚に配置することと、
封止要素によって注射器本体と患者の皮膚との間に封止を形成し、それによって注射器本体内に閉じた容積を画成することと、
可動部材（１２２、２１２）が第１の位置から第２の位置へ動いて注射器本体（１１１）内の閉じた容積を拡大し、それによって閉じた容積内に減圧を生成して自動注射デバイスを患者の皮膚に対して引き寄せることとを含む前記方法。
【発明の詳細な説明】
【技術分野】
【０００１】
本出願は、薬物送達注射デバイスに関する。
【背景技術】
【０００２】
注射デバイスは、様々な液体薬剤を送達するために使用される。これらのデバイスには、正規の医療訓練を受けていない人による定期的な注射が行われる適用分野がある。これは、患者の間でますます一般的になっており、自己治療により、そのような疾病の効果的な管理が有効になる。
【０００３】
患者による注射デバイスの適切な使用は、それぞれの症状の効果的な治療を確実にするために不可欠である。そのような適切な使用には、注射工程が適切に行われかつ完全な薬剤用量が患者に注射されることを確実にすることが含まれる。患者が自身で完了することができるように、薬剤送達プロセスを単純明快かつ直感的にすることが有利である。注射デバイスの不完全なまたは誤った使用の結果、症状の治療が効果的でなくなり、場合により患者に負傷または不快を与える可能性がある。
【発明の概要】
【発明が解決しようとする課題】
【０００４】
本発明の目的は、上述した問題の１つまたはそれ以上に対処する注射デバイスを提供すること、および改善された注射デバイスを提供することである。
【課題を解決するための手段】
【０００５】
本発明の第１の態様によれば、液体薬剤を送達する自動注射デバイスが提供され、自動注射デバイスは、近位端および遠位端を有する注射器本体と、注射器本体内に受け入れられたシリンジと、注射器本体の遠位端内の開口部の方へ延びるようにシリンジの第１の端部内に配置された針と、患者の皮膚に対する封止を形成し、それによって使用中に注射器本体内に閉じた容積を画成するように注射器本体の遠位端に配置された封止要素とを含み、自動注射器は、閉じた容積内に減圧を生成して自動注射デバイスを患者の皮膚に対して引き寄せるように構成され、自動注射デバイスは、注射プロセス中に注射器本体内に減圧を生成するように構成された減圧機構を含み、減圧機構は、可動部材を含み、可動部材は、第１の位置から第２の位置への可動部材の動きが、注射器本体内の閉じた容積を拡大して閉じた容積内に減圧を生成するように構成され、可動部材は、第２の位置へ付勢される。
【０００６】
シリンジは、第１の端部の反対側に第２の端部を含むことができ、第２の端部は、開いており、注射器本体内の閉じた容積と流体連通しており、減圧機構は、シリンジを含む。
【０００７】
自動注射デバイスは、ニードルスリーブをさらに含むことができ、ニードルスリーブは、ニードルスリーブが注射器本体の遠位端から延びて針を取り囲む伸長位置と、ニードルスリーブが注射器本体内へ後退して針を露出させる後退位置との間で可動である。
【０００８】
自動注射デバイスは、可動部材を第１の位置で保持し、ニードルスリーブが伸長位置から後退位置へ動くと可動部材を解放するように構成された保持機構をさらに含むことができる。
【０００９】
ニードルスリーブは、第１の連結要素を含むことができ、可動部材は、第２の連結要素を含むことができ、第１および第２の連結要素は、ニードルスリーブが後退位置へ動くと係合する。
【００１０】
注射器本体は、空気が注射器本体から流れ出ることを可能にするが、空気がデバイス外から注射器本体内へ流れ込むことを防止するように構成された逆止め弁を含むことができる。
【００１１】
封止要素は、遠位端で注射器本体の縁の周りに配置された弾性の環状封止部材を含むことができる。
【００１２】
自動注射デバイスは、閉じた容積内の減圧を注射器本体の外側の空気圧に等しくするように動作可能な解放要素を含むことができる。
【００１３】
解放要素は、逃し弁を含むことができ、自動注射デバイスは、薬剤送達プロセスが完了すると逃し弁を自動的に動作させるように構成された解放機構をさらに含むことができる。
【００１４】
解放要素は、使用者が解放要素を作動させることができるように手動で動作可能とすることができる。
【００１５】
シリンジは、液体薬剤または液体薬剤のカートリッジを含むことができる。
【００１６】
本発明の第２の態様によれば、近位端および遠位端を有する注射器本体と、注射器本体内に受け入れられたシリンジと、注射器本体の遠位端内の開口部の方へ延びるようにシリンジの第１の端部内に配置された針と、注射器本体の遠位端に配置された封止要素と、第１の位置から第２の位置へ可動であり、第２の位置へ付勢される可動部材を含む減圧機構とを含む、液体薬剤を送達する自動注射デバイスの動作方法が提供され、この方法は、注射器本体の遠位端を患者の皮膚に配置することと、封止要素によって注射器本体と患者の皮膚との間に封止を形成し、それによって注射器本体内に閉じた容積を画成することと、可動部材が第１の位置から第２の位置へ動いて注射器本体内の閉じた容積を拡大し、それによって閉じた容積内に減圧を生成して自動注射デバイスを患者の皮膚に対して引き寄せることとを含む。
【００１７】
本発明をより完全に理解することができるように、本発明の実施形態について、例示のみを目的として、添付の図面を参照しながら次に説明する。
【図面の簡単な説明】
【００１８】
【図１Ａ】キャップが取り付けられている自動注射器を示す図である。
【図１Ｂ】キャップが取り外されている図１Ａの自動注射器を示す図である。
【図２】注射プロセス前の構成にある本発明の第１の実施形態による自動注射器を示す図である。
【図３】注射プロセス中の第１の構成にある図２の自動注射器を示す図である。
【図４】注射プロセス中の第２の構成にある図２の自動注射器を示す図である。
【図５】注射プロセス後の構成にある図２の自動注射器を示す図である。
【図６】注射プロセス前の構成にある本発明の第２の実施形態による自動注射器を示す図である。
【図７】注射プロセス中の第１の構成にある図６の自動注射器を示す図である。
【図８】注射プロセス中の第２の構成にある図６の自動注射器を示す図である。
【図９】図２〜５に示す第１の実施形態の自動注射器に類似している、封止構成にある本発明の第３の実施形態の自動注射器の一部分を示す図である。
【図１０】開封構成にある図９の自動注射器の一部分を示す図である。
【図１１】封止構成にある圧力解放機構を示す、本発明の第４の実施形態の自動注射器の一部分を示す図である。
【図１２】開封構成にある圧力解放機構を示す、図１１の自動注射器の一部分を示す図である。
【発明を実施するための形態】
【００１９】
本明細書に記載する薬物送達デバイスは、薬剤を患者に注射するように構成することができる。たとえば、送達は、皮下、筋肉内、または静脈内で行うことができる。そのようなデバイスは、患者または看護師もしくは医師などの医療従事者によって動作することができ、様々なタイプの安全シリンジ、ペン注射器、または自動注射器を含むことができる。デバイスは、封止されたアンプルを使用前に穿孔する必要があるカートリッジベースのシステムを含むことができる。これらの様々なデバイスによって送達される薬剤の体積は、約０．５ｍｌ〜約２ｍｌの範囲に及ぶことができる。さらに別のデバイスは、一定期間（たとえば、約５、１５、３０、６０、または１２０分）にわたって患者の皮膚に付着して「大」容量の薬剤（典型的には、約２ｍｌ〜約１０ｍｌ）を送達するように構成された大容量デバイス（「ＬＶＤ」）またはパッチポンプを含むことができる。
【００２０】
特有の薬剤と組み合わせて、本明細書に記載するデバイスはまた、必要とされる仕様の範囲内で動作するようにカスタマイズすることができる。たとえば、デバイスは、特定の期間（たとえば、自動注射器の場合は約３〜約２０秒、ＬＶＤの場合は約１０分〜約６０分）内に薬剤を注射するようにカスタマイズすることができる。他の仕様は、低いもしくは最小の不快レベル、または人的要因、保管寿命、有効期限、生体適合性、環境的考慮などに関係する特定の条件を含むことができる。そのような変動は、たとえば、薬物の粘性が約３ｃＰ〜約５０ｃＰの範囲に及ぶことなどの様々な要因に起因することができる。したがって、薬物送達デバイスは、サイズが約２５〜約３１ゲージの範囲に及ぶ中空の針を含むことが多い。一般的なサイズは、２７および２９ゲージである。
【００２１】
本明細書に記載する送達デバイスはまた、１つまたはそれ以上の自動機能を含むことができる。たとえば、針の挿入、薬剤の注射、および針の後退のうちの１つまたはそれ以上を自動化することができる。１つまたはそれ以上の自動化工程のためのエネルギーは、１つまたはそれ以上のエネルギー源によって提供することができる。エネルギー源は、たとえば、機械、空気圧、化学、または電気のエネルギーを含むことができる。たとえば、機械エネルギー源は、エネルギーを貯蔵または解放するためのばね、てこ、エラストマー、または他の機械的機構を含むことができる。１つまたはそれ以上のエネルギー源を組み合わせて単一のデバイスにすることができる。デバイスは、エネルギーをデバイスの１つまたはそれ以上の構成要素の動きに変換するための歯車、弁、または他の機構をさらに含むことができる。
【００２２】
自動注射器の１つまたはそれ以上の自動機能はそれぞれ、起動機構を介して起動することができる。そのような起動機構は、ボタン、レバー、ニードルスリーブ、または他の起動構成要素のうちの１つまたはそれ以上を含むことができる。自動機能の起動は、１工程または複数工程のプロセスとすることができる。すなわち、使用者は、自動機能を引き起こすために、１つまたはそれ以上の起動構成要素を起動する必要がある。たとえば、１工程のプロセスでは、使用者は、ニードルスリーブを身体に押し当てて薬剤の注射を行うことができる。他のデバイスは、自動機能の複数工程の起動を必要とすることがある。たとえば、使用者は、注射を行うために、ボタンを押し下げてニードルシールドを後退させる必要がある。
【００２３】
加えて、１つの自動機能の起動により、１つまたはそれ以上の次の自動機能を起動し、それによって起動シーケンスを形成することができる。たとえば、第１の自動機能の起動により、針の挿入、薬剤の注射、および針の後退のうちの少なくとも２つを起動することができる。いくつかのデバイスはまた、１つまたはそれ以上の自動機能を行うために、特有の工程シーケンスを必要とすることがある。他のデバイスは、独立した工程シーケンスによって動作することができる。
【００２４】
いくつかの送達デバイスは、安全シリンジ、ペン注射器、または自動注射器のうちの１つまたはそれ以上の機能を含むことができる。たとえば、送達デバイスは、薬剤を自動的に注射するように構成された機械エネルギー源（典型的には、自動注射器に見られる）と、用量設定機構（典型的には、ペン注射器に見られる）とを含むことができる。
【００２５】
本開示のいくつかの実施形態によれば、例示的な薬物送達デバイス１０が、図１Ａおよび１Ｂに示されている。デバイス１０は、上述したように、薬剤を患者の体内へ注射するように構成される。デバイス１０は、典型的には注射予定の薬剤を含むリザーバ（たとえば、シリンジ）を含むハウジング１１と、送達プロセスの１つまたはそれ以上の工程を容易にするために必要とされる構成要素とを含む。デバイス１０はまた、ハウジング１１に取外し可能に取り付けることができるキャップアセンブリ１２を含むことができる。典型的には、使用者は、デバイス１０を動作させる前に、キャップ１２をハウジング１１から取り外さなければならない。
【００２６】
図示のように、ハウジング１１は、実質上円筒形であり、長手方向軸Ｘに沿って実質上一定の直径を有する。ハウジング１１は、遠位領域２０および近位領域２１を有する。「遠位」という用語は、注射部位に比較的近い位置を指し、「近位」という用語は、注射部位から比較的遠い位置を指す。
【００２７】
デバイス１０はまた、ハウジング１１に連結されたニードルスリーブ１３を含むことができ、ニードルスリーブ１３は、ハウジング１１に対するスリーブ１３の動きを可能にする。たとえば、スリーブ１３は、長手方向軸Ｘに平行して長手方向に動くことができる。具体的には、スリーブ１３が近位方向に動くことで、針１７がハウジング１１の遠位領域２０から延びることが可能になる。
【００２８】
針１７の挿入は、いくつかの機構を介して行うことができる。たとえば、針１７は、ハウジング１１に対して固定することができ、最初は延ばされたニードルスリーブ１３内に位置することができる。スリーブ１３の遠位端を患者の身体に押し付け、ハウジング１１を遠位方向に動かすことによって、スリーブ１３を近位に動かすことで、針１７の遠位端が露出される。そのような相対的な動きにより、針１７の遠位端が患者の体内へ延びることが可能になる。そのような挿入は、患者がハウジング１１をスリーブ１３に対して手動で動かすことを介して針１７が手動で挿入されるため、「手動」挿入と呼ばれる。
【００２９】
別の形態の挿入は、「自動」であり、針１７がハウジング１１に対して動く。そのような挿入は、スリーブ１３の動きによって、またはたとえばボタン２２などの別の形態の起動によってトリガすることができる。図１Ａおよび１Ｂに示すように、ボタン２２は、ハウジング１１の近位端に位置する。しかし、他の実施形態では、ボタン２２は、ハウジング１１の側に位置することもできる。
【００３０】
他の手動または自動の機能は、薬物の注射もしくは針の後退、または両方を含むことができる。注射とは、栓またはピストン２３をシリンジ（図示せず）内の近位位置からシリンジ内のより遠位の位置へ動かし、針１７を通ってシリンジから薬剤を押し出すプロセスである。いくつかの実施形態では、デバイス１０が起動される前、駆動ばね（図示せず）が圧縮されている。駆動ばねの近位端は、ハウジング１１の近位領域２１内に固定することができ、駆動ばねの遠位端は、ピストン２３の近位面に圧縮力を印加するように構成することができる。起動後、駆動ばね内に貯蔵されているエネルギーの少なくとも一部をピストン２３の近位面に印加することができる。この圧縮力は、ピストン２３に作用してピストン２３を遠位方向に動かすことができる。そのような遠位への動きは、シリンジ内の液体薬剤を圧縮して針１７から押し出すように作用する。
【００３１】
注射後、スリーブ１３またはハウジング１１内で針１７を後退させることができる。使用者が患者の身体からデバイス１０を取り出すときにスリーブ１３が遠位に動くため、後退を行うことができる。これは、針１７がハウジング１１に対して固定されたまま行うことができる。スリーブ１３の遠位端が針１７の遠位端を越え、針１７が覆われた後、スリーブ１３をロックすることができる。そのようなロックは、ハウジング１１に対するスリーブ１３の近位への動きをロックすることを含むことができる。
【００３２】
針１７がハウジング１１に対して動かされる場合、別の形態の針の後退を行うことができる。そのような動きは、ハウジング１１内のシリンジがハウジング１１に対して近位方向に動かされる場合に生じることがある。この近位への動きは、遠位領域２０内に位置する後退ばね（図示せず）を使用することによって実現することができる。圧縮された後退ばねは、起動されると、シリンジを近位方向に動かすのに十分な力をシリンジに供給することができる。十分な後退後は、ロッキング機構によって、針１７とハウジング１１との間の相対的な動きをロックすることができる。加えて、必要とされる場合、ボタン２２またはデバイス１０の他の構成要素もロックすることができる。
【００３３】
図２〜５を次に参照すると、本発明の第１の実施形態による自動注射器１１０が示されており、自動注射器１１０は、遠位領域２０および近位領域２１を有する注射器ハウジング本体１１１（以下、「本体」）を含む。本体１１１内にニードルスリーブ１１３が設けられ、本体１１１に対して伸長位置（図２および図５に示す）と後退位置（図３および図４に示す）との間で摺動可能である。ニードルスリーブ１１３は、略管状の構造である。
【００３４】
ニードルスリーブ１１３内にシリンジホルダ１１４が配置され、シリンジ１１５または液体薬剤１１８のカートリッジを受け入れるように構成される。別法として、シリンジ１１５が、液体薬剤１１８のカートリッジを受け入れるように構成することもできる。シリンジ１１５は、一方の端部に針１１７を含み、本体１１１の遠位端２０に配置される。針１１７は、本体の遠位端２０を越えて延びる。ニードルスリーブ１１３は、その伸長位置で針１１７を取り囲み、ニードルスリーブ１１３がその後退位置へ動かされると、針１１７は露出される。
【００３５】
シリンジ１１５は、針１１７とは反対側の端部にストッパ１１６を含み、ストッパ１１６は、シリンジ１１５内で液体薬剤１１８を保持するためにシリンジ１１５の内壁を封止する。ストッパ１１６に隣接してプランジャ１１９が配置され、シリンジ１１５内でストッパ１１６を動かして針１１７から薬剤１１８を排出する。プランジャ１１９の周りにプランジャばね１２０が設けられ、プランジャ１１９をストッパ１１６に向かう方向へ付勢するように作用する。プランジャ１１９にパワーパック１２１（図２〜５に概略的にのみ示す）が連結され、プランジャばね１２０に支援されて、プランジャ１１９をストッパ１１６に向かう方向へ駆動する。
【００３６】
本体１１１の近位端２１は、円筒形のカバー１２２の形態の可動部材によって閉じられる。円筒形のカバー１２２は、本体１１１の近位端２１内に摺動可能に受け入れられる。カバー１２２を覆って可撓性キャップ１２３が配置され、可撓性キャップ１２３は、カバー１２２に連結された平坦な端部１２３ａと、本体１１１に固定されたスカート部分１２３ｂとを含む。それによって可撓性キャップ１２３は、本体１１１の近位端２１を覆う気密封止を形成する。本体１１１は、遠位端２０で開いているが、その長さに沿って、空気が自由に流れることができるいかなる他の通路も含まない。したがって、本体１１１の遠位端２０が閉じられて封止された場合、封止された閉じた容積が本体１１１内に画成される。
【００３７】
可撓性キャップ１２３は、平坦な端部１２３ａとスカート１２３ｂとの間にばねセクション１２３ｃを含む。ばねセクション１２３ｃは、伸展状態（図２および図４に示す）と圧縮状態（図３および図５に示す）との間で可撓性キャップが変形することを可能にするように構成される。ばねセクション１２３ｃは、可撓性キャップ１２３を伸展状態に付勢するように構成される。これは、可撓性キャップ１２３が作られるゴムなどの材料の弾性によるものである。別法または追加として、可撓性キャップ１２３は、可撓性キャップ１２３の本体に固定されまたはその中に埋め込まれた追加のばね要素（図示せず）を含むこともできる。
【００３８】
本体１１１の遠位端２０は、本体１１１の端縁の周りに固定された環状要素の形態の封止部材１２４を含む。
【００３９】
ニードルスリーブ１１３を伸長位置に付勢するスリーブばね１２５が設けられる。スリーブばね１２５は、本体１１１の内壁から延びる内向きの突出部と、ニードルスリーブ１１３の外壁から延びる外向きの突出部とに連結される。本発明の範囲内で、１つまたは複数のスリーブばね１２５を設けることができ、内向きおよび外向きの突出部は、環状フランジ、またはそれぞれ本体１１１およびニードルスリーブ１１３の周辺部から延びる複数の個別の突出部を含むことができる。
【００４０】
本体１１１の近位端２１付近のニードルスリーブ１１３の端部は、フック１２６の形態の第１の連結要素を含み、フック１２６は、本体１１１の近位端２１に向かう方向を向いている傾斜面と、本体１１１の遠位端２０に向かう方向を向いている径方向面とを有する。カバー１２２は、フック１２６と位置合わせされたアパーチャ１２７の形態の第２の連結要素を含む。
【００４１】
本発明の第１の実施形態の自動注射器１１０の動作について、次に説明する。最初に、自動注射器１１０は図２に示す構成にあり、ニードルスリーブ１１３は伸長位置にある。自動注射器１１０の遠位端２０が、患者の身体の注射部位に押し付けられる。ニードルスリーブ１１３は、本体１１１内で伸長位置から後退位置へ摺動し、スリーブばね１２５を圧縮させる。それによって、針１１７が露出されて患者の皮膚を穿孔し、封止部材１２４が、注射部位の周りに患者の皮膚に対する気密封止を生み出す。それによって本体１１１の遠位端２０が封止部材１２４および患者の皮膚によって閉じられて封止されるため、それによって封止された閉じた容積が本体１１１内に画成される。封止部材１２４は、患者の皮膚に対する効果的な封止を実現するのを助けるために、図２および図３に示す封止部材１２４の形状の変化によって示すように、変形可能とすることができる。次いで患者は、可撓性キャップ１２３の平坦な端部１２３ａを押し、ばねセクション１２３ｃを圧縮状態に変形させ、カバー１２２を本体１１１内へ摺動させる。この本体１１１内の空気圧の増大により、本体１１１内から封止部材１２４を越えて空気が排出される。代替構成では、本体１１１は、本体１１１内の圧力が本体１１１外の周囲空気圧を上回ったとき、空気が本体から大気へ流れ出ることを可能にするための逆止め弁を含むことができる。逆止め弁は、本体１１１内の圧力が本体１１１外の周囲大気圧より下がったとき、空気が本体１１１内へ逆流するのを防止するはずである。フック１２６の傾斜面は、カバー１２２の遠位端を載り越え、フック１２６はアパーチャ１２７内に位置する。それによって自動注射器は、図３に示す構成になる。
【００４２】
図３に示す構成になった後、ばねセクション１２３ｃは、可撓性キャップ１２３が作られる材料および／または任意の追加のばね要素（図示せず）の弾性によって、その伸展状態に適切に戻るように付勢される。この構成を図４に示す。これにより本体１１１内の閉じた容積が拡大し、その結果、本体１１１によって画成された閉じた容積内で、周囲圧力に対して減圧が生じる。その結果生じる吸引作用により、自動注射器１１０は患者の皮膚に対して引き寄せられ、自動注射器１１０を定位置で支持するのを助ける。
【００４３】
自動注射器１１０が図３に示す構成にあったとき、カバー１２２が事前にパワーパック１２１に接触して起動させていたことで、プランジャ１１９を作動させてストッパ１１６を駆動し、患者の体内へ薬剤１１８を送達する。
【００４４】
薬剤送達動作が完了した後、患者は自動注射器１１０を自身の皮膚から取り外す。これは、患者が可撓性キャップ１２３の平坦な端部１２３ａを押してばねセクション１２３ｃを圧縮状態に変形させ、カバー１２２を本体１１１内へ摺動させることによって実現することができる。これにより、本体１１１内の内部閉じた容積が低減され、それによってその中の減圧の程度が低減され、したがって患者の皮膚に対する自動注射器１１０の吸引作用が低減される。次いでニードルスリーブ１１３が、スリーブばね１２５の力を受けて伸長位置に摺動し、針１１７を取り囲む。フック１２６がカバー１２２内のアパーチャ１２７の縁部に係合し、やはりスリーブばね１２５によって提供される力を受けて、カバー１２２をその圧縮位置へ引き寄せる。
【００４５】
本発明の自動注射器２１０の第２の実施形態が図６〜８に示されており、第１の実施形態の機能に共通する機能は、同じ参照番号を有する。自動注射器２１０は、遠位領域２０および近位領域２１を有する注射器ハウジング本体１１１（以下、「本体」）を含む。本体１１１内にニードルスリーブ１１３が設けられ、本体１１１に対して伸長位置（図６に示す）と後退位置（図７および図８に示す）との間で摺動可能である。ニードルスリーブ１１３は、略管状の構造である。
【００４６】
ニードルスリーブ１１３内にシリンジホルダ１１４が配置され、シリンジ１１５または液体薬剤１１８のカートリッジを受け入れるように構成される。シリンジ１１５は、一方の端部に針１１７を含み、本体１１１の遠位端２０に配置される。針１１７は、本体の遠位端２０を越えて延びる。ニードルスリーブ１１３は、その伸長位置で針１１７を取り囲み、ニードルスリーブ１１３がその後退位置へ動かされると、針１１７は露出される。
【００４７】
シリンジ１１５は、針１１７とは反対側の端部にストッパ１１６を含み、ストッパ１１６は、シリンジ１１５内で液体薬剤１１８を保持するためにシリンジ１１５の内壁を封止する。ストッパ１１６に隣接してプランジャ１１９が配置され、シリンジ１１５内でストッパ１１６を動かして針１１７から薬剤１１８を排出する。プランジャ１１９の周りにプランジャばね１２０が設けられ、プランジャ１１９をストッパ１１６に向かう方向へ付勢するように作用する。プランジャ１１９にパワーパック１２１（図６〜８に概略的にのみ示す）が連結され、プランジャばね１２０に支援されて、プランジャ１１９をストッパ１１６に向かう方向へ駆動する。パワーパック１２１は、パワーパック１２１の近位端に起動ボタン２１１を含み、起動ボタン２１１は、患者によって作動されるように、本体１１１の近位端を通って延びる。本体１１１とパワーパック１２１／起動ボタン２１１との間の領域は、本体１１１とパワーパック１２１／起動ボタン２１１との間を空気が通過することができないように封止される。
【００４８】
本体１１１の遠位端２０は、本体１１１の端縁の周りに固定された環状要素の形態の封止部材１２４を含む。
【００４９】
カラー２１２の形態の可動部材が、本体１１１内に摺動可能に受け入れられ、本体１１１とニードルスリーブ１１３との間に配置される。カラー２１２は、本体１１１の遠位端２０付近に配置される第１の位置（図６および図７に示す）と、本体１１１の近位端２１付近または少なくとも近位端２１の方へより遠くに配置される第２の位置（図８に示す）との間で摺動可能である。カラー２１２の外周にはＯリングなどの第１の環状封止部２１３が設けられ、本体１１１の内壁に接触している。それによって第１の環状封止部２１３は、カラー２１２と本体１１１との間に封止を形成する。カラー２１２の内周にはＯリングなどの第２の環状封止部２１４が設けられ、ニードルシールド１１３の外壁に接触している。それによって第２の環状封止部２１４は、ニードルシールド１１３とカラー２１２との間に封止を形成する。
【００５０】
本体１１１の近位端２１とカラー２１２との間に延びる少なくとも１つのカラーばね２１５が設けられる。図６〜８に示す実施形態では、２つのカラーばね２１５が示されているが、別法として、１つのカラーばねまたは３つ以上のカラーばねが存在することもできる。たとえば、ニードルシールド１１３を取り囲む単一のカラーコイルばねを設けることができる。カラーばね２１５は、カラー２１２を本体１１１の近位端２１の方へ付勢するように構成され、図６および図７では引張り状態にあり、図８では引張りが低減された状態にある。
【００５１】
本体１１１の近位端２１に一方向弁２１６が設けられ、空気が本体１１１内から外へ流れ出ることを可能にするが、本体１１１によって画成された内部空間内へ空気が流れ込むことは可能にしないように構成される。
【００５２】
本体の近位端２１とニードルスリーブ１１３との間に、少なくとも１つのスリーブばね１２５が設けられる。図６〜８に示す実施形態では、２つのスリーブばね１２５が設けられているが、別法として、１つのスリーブばねまたは３つ以上のスリーブばねが存在することもできる。スリーブばね２１５は、ニードルスリーブ１１３を図６に示す伸長位置へ付勢するように構成される。
【００５３】
カラー２１２とニードルスリーブ１１３との間に、保持機構（図示せず）が設けられる。保持機構は、ニードルスリーブ１１３が伸長位置にあるとき、カラーばね２１５の力に逆らって、カラー２１２を第１の位置で保持する。保持機構は、ニードルスリーブ１１３が後退位置へ動かされると、カラー２１２が解放されてカラーばね２１５の力を受けて本体内で自由に摺動できるように構成される。これは、たとえば、それぞれカラー２１２およびニードルスリーブ１１３上の適切な形状のピンおよびスロットの配置によって実現することができる。
【００５４】
本発明の第２の実施形態の自動注射器２１０の動作について、次に説明する。最初に、自動注射器２１０は図６に示す構成にあり、ニードルスリーブ１１３は伸長位置にあり、カラー２１２は第１の位置にある。自動注射器２１０の遠位端２０は、患者の身体の注射部位に押し付けられる。ニードルスリーブ１１３は、本体１１１内へ押し込まれて、伸長位置から後退位置へ摺動し、スリーブばね１２５を圧縮させる。それによって、針１１７が露出されて患者の皮膚を穿孔し、封止部材１２４が、注射部位の周りに患者の皮膚に対する気密封止を生み出す。自動注射器２１０は、図７に示す構成になる。それによって本体１１１の遠位端２０が封止部材１２４および患者の皮膚によって閉じられて封止されるため、それによって封止された閉じた容積が本体１１１内に画成される。第１の実施形態と同様に、封止部材１２４は、患者の皮膚に対する効果的な封止を実現するのを助けるために、図６および図７に示す封止部材１２４の形状の変化によって示すように、変形可能とすることができる。
【００５５】
ニードルシールド１１３が後退位置に着いた後、保持機構は、カラー２１２を解放し、次いでカラー２１２は、カラーばね２１５によって本体１１１の近位端２１の方へ引き寄せられる。次いで自動注射器２１０は、図８に示す構成になる。第１および第２の環状封止部２１３、２１４は、空気が本体１１１の一方の端部から他方の端部へカラー２１２を越えて進むのを防止する。したがって、封止部材１２４が患者の皮膚を封止するため、カラー２１２が本体１１１の近位端２１の方へ動くことで、カラー２１２と患者の皮膚との間の本体内の閉じた容積が拡大するが、空気がその容積に入ることはできないことから、容積内に減圧を生み出し、それによって自動注射器２１０を患者の皮膚に対して引き寄せる吸引作用を生み出し、次の薬剤送達プロセス中に自動注射器２１０を定位置で支持して安定させるのを助ける。患者の皮膚に対する吸引の感覚はまた、自動注射器２１０が自身の皮膚で定位置に適切に固定されており、薬剤送達を開始する準備ができているという触覚インジケーションを患者に与える働きをする。
【００５６】
本体１１１のうち、カラー２１２と本体１１１の近位端２１との間の閉空間内の空気は、逆止め弁２１６を介して逃げることが可能である。これにより、この領域内の空気圧の蓄積を防止し、カラー２１２が本体１１１の近位端２１の方へ動くのを抑制する。
【００５７】
次いで患者は、本発明の第１の実施形態を参照して上述した方法と同様に、パワーパック１２１上の起動ボタン２１１を押し、それによりパワーパック１２１を起動し、プランジャ１１９を作動させてストッパ１１６を駆動し、患者の体内へ薬剤１１８を送達する。
【００５８】
薬剤送達動作が完了した後、患者は自動注射器２１０を自身の皮膚から取り外す。これは、患者が、負力によって生じる吸引力に逆らって、自身の皮膚からデバイスを引き抜くことによって実現することができる。自動注射器２１０が患者の皮膚から取り外された後、次いでニードルスリーブ１１３が、スリーブばね１２５の力を受けて伸長位置に摺動し、針１１７を取り囲む。
【００５９】
第２の実施形態の自動注射器２１０について、ニードルスリーブ１１３が後退位置に動かされるとカラー２１２を自動的に解放する保持機構を有するものとして説明したが、本発明は、このデバイス構成に限定されるものではなく、代替のカラー解放機構も、本発明の範囲内で意図される。たとえば、自動注射器２１０は、本体１１１の外壁上のボタンなど、患者によって作動されてカラー２１２を解放する手動起動機構を含むことができる。すなわち、使用者は、本体１１１内に減圧を生成する機構を手動で起動することができる。
【００６０】
第２の実施形態の自動注射器２１０について、逆止め弁２１６を有するものとして説明したが、本発明の範囲内に入ることが意図される第２の実施形態の変形形態では、逆止め弁を省略することができ、カラー２１２と本体１１１の近位端２１との間の領域内の空気圧の蓄積をカラーばね２１５の力によって抑制することができる。
【００６１】
第１の実施形態の自動注射器について、それぞれフック１２６およびアパーチャ１２７の形態の第１および第２の連結要素を有するものとして説明したが、これらを逆にすることもでき、したがって可動のカバー１２２が、１つまたはそれ以上のフックを含み、ニードルスリーブ１１３が、１つまたはそれ以上の対応するアパーチャを含む。また、たとえば係合可能なフック対または爪およびラチェット機構など、連結要素の代替構成も、本発明の範囲内で想定される。
【００６２】
本発明の第１および第２の実施形態の両方において、本体１１１内の減圧を外部の周囲圧力に等しくすることを容易にするように構成された自動注射器の変形形態が、本発明の範囲内で想定される。１つのそのような変形形態が、本発明の第３の実施形態および第１の実施形態の自動注射器１１０の変形形態として、図９および図１０に示されている。しかし、この変形形態は、第２の実施形態の自動注射器２１０にも等しく適用することができる。同様の機能は、同じ参照番号を有する。第３の実施形態の自動注射器の違いは、封止部材１２４が、封止部材１２４の外縁から延びる解放タブ１２４ａの形態の解放要素を含むことである。患者は、薬剤送達プロセスが終了した後、解放タブ１２４ａを引っ張って皮膚と封止部材１２４との間の封止を破り、空気が本体１１１内の容積に入ることを可能にし、それによって自動注射器１１０を患者の皮膚から取り外すことを容易にすることができる。
【００６３】
第２の変形形態は、本発明の第４の実施形態および第１の実施形態の自動注射器１１０の変形形態として、図１１および図１２に示されている。しかし、この変形形態は、第２の実施形態の自動注射器２１０にも等しく適用することができる。同様の機能は、同じ参照番号を有する。第４の実施形態の自動注射器の違いは、本体１１１が、真空解放機構１２８の形態の解放要素を含むことであり、患者は、本体１１１内の減圧を周囲空気圧に等しくするために、この解放要素を手動で作動させることができる。真空解放機構１２８は、本体１１１内にアパーチャ１２９を含む。本体の内壁上でアパーチャ１２９の周りに弾性封止部１３０が設けられ、弾性封止部１３０は、ゴムもしくは類似の材料のビード、またはＯリングを含むことができる。本体１１１の内側では、アパーチャ１２９を覆って板１３１が摺動可能に取り付けられ、板１３１は、アパーチャ１２９を通って延びる突出部１３２を含む。板１３１は、閉位置（図１１に示す）と開位置（図１２に示す）との間で可動である。使用者は、突出部１３２を操作して、板１３１を２つの位置間で動かすことができる。板１３１は、空気がアパーチャ１２９を通って本体１１１の内側と本体１１１の外側との間を流れるのを防止するように、弾性封止部１３０に接触している。この板に、通気孔１３３が設けられる。閉位置で、通気孔１３３は、弾性封止部１３０の周辺部外にあり、開位置で、通気孔１３３は、弾性封止部の周辺部内にあり、アパーチャ１２９と流体連通している。使用の際、本体１１１内で減圧が維持される薬剤送達プロセス中、板１３１は、減圧が維持されることを確実にするために閉位置にある。薬剤送達プロセスが終了した後、患者は、真空解放機構１２８を手動で作動させて、本体１１１内の減圧を周囲空気圧に等しくし、空気が本体１１１内の容積に入ることを可能にし、それによって自動注射器１１０を患者の皮膚から取り外すことを容易にすることができる。これは、突出部１３２を使用して板１３１を開位置へ摺動させ、空気がアパーチャ１２９および通気孔１３３を通って本体１１１外から本体１１１内へ流れることを可能にすることによって行われる。
【００６４】
本発明の第３および第４の実施形態の減圧を等しくする構成は、本発明の第２の実施形態の自動注射器２１０ならびに本発明の第１の実施形態の自動注射器１１０にも等しく適用することができることが理解されよう。患者が本体１１１内の減圧を周囲空気圧に手動で等しくすることを可能にする機構の利点は、手動制御機能（ｍａｎｕａｌ  ｏｖｅｒｒｉｄｅ  ｆｕｎｃｔｉｏｎ）を提供することであり、したがって患者は、必要な場合、自動注射デバイスを自身の皮膚から迅速に取り外すことができる。
【００６５】
本発明の範囲内で、自動注射器は、本体１１１内の減圧を周囲空気圧に自動的に等しくすることができることが意図される。そのような機構は、注射および薬剤送達プロセスが完了したとき、パワーパック１２１によってトリガすることができる。たとえば、本体１１１は、パワーパック１２１に連結されたアクチュエータを有する弁を含むことができ、したがってパワーパック１２１は、アクチュエータを動作させて弁を開く。別法として、この機構は、薬剤送達プロセスが完了したとき、機械的にトリガすることができる。たとえば、プランジャ１１９は、プランジャがシリンジ１１５から薬剤用量を押し出した後、完全伸長位置に到達すると、本体１１１内の弁に係合して弁を開く突出部を含むことができる。薬剤送達プロセスの終了時に自動的に圧力を等しくする利点は、薬剤送達プロセスが終了したというフィードバックを触覚インジケーションによって患者に提供し、それによって改善されたデバイスの有用性を提供することである。
【００６６】
本発明の実施形態では、患者へ薬剤が送達されるとき、ストッパ１１６は、本体１１１の遠位端２０の方へ摺動し、シリンジ１１５内でストッパ１１６の後ろに空間を残す。この空間は、以前は液体薬剤１１８で充填されていたものであり、減圧された本体１１１内の閉空間と流体連通している。これにより、本体内の閉じた総容積が増大するが、これ以上の空気が閉じた容積に入ることはできず、それによって本体１１１内の圧力をさらに低減させ、患者の皮膚に対する吸引作用を増大させる。場合により、これは許容可能であり、上記で論じた患者の皮膚に対する吸引作用の利点を実現するのを助ける。しかし、減圧が患者にとって不快になり得るレベルに到達する可能性もある。また、減圧は、ストッパ１１６に逆らうように作用して薬剤１１８の効果的な送達を失速させ始めるレベルに到達する可能性もある。したがって、本発明の実施形態は、本体１１１内に形成された過圧弁（ｏｖｅｒｐｒｅｓｓｕｒｅ  ｖａｌｖｅ）を含むことができる。そのような過圧弁は、本体１１１内の減圧が閾値レベルに到達すると開くように構成することができる。過圧弁は、所定の開放張力を有する弁ばねを含むことなどによって、閾値レベルで機械的に開くように構成することができる。別法として、過圧弁は、電子的に作動させることができる。たとえば、本体内、たとえばパワーパック１２１内に、圧力センサを設けることができ、過圧弁は、圧力センサが閾値圧力に到達したことを検出すると送られる信号によって弁を開くように動作されるアクチュエータを含むことができる。そのような過圧弁は、所定の範囲の圧力レベルで本体１１１内の減圧を調整するように構成することができる。すなわち、過圧弁は、過圧弁が作動するとき、本体１１１内の減圧を完全に等しくしなくてもよい。それによって過圧弁は、本体１１１内の減圧が許容できるレベルに戻った後に閉じることができる。
【００６７】
上述した本発明の実施形態では、シリンジ１１５からの薬剤１１８の放出によって行うことができる補助的な減圧に加えて、本体１１１内に減圧を生成する機構が提供されることが理解されよう。しかし、第１および第２の実施形態の変形形態を本発明の範囲内に含むことができることが意図され、そのような変形形態では、ストッパ１１６が本体１１１の遠位端２０の方へ摺動し、シリンジ１１５内でストッパ１１６の後ろに空間を残すことのみによって、本体１１１内の減圧が生み出される。この空間は、以前は液体薬剤１１８で充填されていたものであり、本体１１１内の閉空間と流体連通している。これにより、本体内の閉じた総容積が増大するが、これ以上の空気が閉じた容積に入ることはできず、それによって本体１１１内の圧力を低減させ、患者の皮膚に吸引作用を引き起こし、その結果、前述の利点が得られる。自動注射器のそのような実施形態は、たとえば、図２〜５に示す第１の実施形態の自動注射器１１０と同様に構成することができるが、可動のカバー１２２および可撓性キャップ１２３は省略され、本体１１１は単に、固定された閉じた近位端２１を有する。そのような近位端は、本発明の第２の実施形態と同様に、パワーパック１２１からの起動ボタン２１１を含むことができる。別法として、自動注射器のそのような実施形態は、たとえば、図６〜８に示す第２の実施形態の自動注射器２１０と同様に構成することができるが、カラー２１２およびカラーばね２１５は省略される。どちらの場合も、本体１１１の近位端２１付近のシリンジ１１５の端部が開いており、本体１１１内の内部閉空間と流体連通していることが必要になるはずである。
【００６８】
自動注射器の第１および第２の実施形態について、プランジャ１１９を作動させるためのパワーパック１２１を含むものとして説明したが、本発明は、パワーパックを有する自動注射器に限定されることを意図するものではなく、別法として、自動注射器の実施形態は、プランジャ１１９を駆動するために、パワーパック１２１ではなくプランジャばね１２０を含むこともできる。したがって、いくつかの実施形態では、プランジャばね１２０が、シリンジ１１５から患者の体内へ液体薬剤を送達するためにプランジャ１１９を駆動し、なおかつ本体１１１内に減圧を生成する場合もある。そのような実施形態では、プランジャばね１２０は、両方の機能を実行するのに十分な力を提供するように構成することができる。そのような実施形態では、プランジャの作動は、たとえば機械的解放機構によって行うことができる。
【００６９】
本明細書で使用する用語「薬物」または「薬剤」は、１つまたはそれ以上の薬学的に活性な化合物を説明するために本明細書において使用される。以下に説明されるように、薬物または薬剤は、１つまたはそれ以上の疾患を処置するための、様々なタイプの製剤の少なくとも１つの低分子もしくは高分子、またはその組み合わせを含むことができる。例示的な薬学的に活性な化合物は、低分子；ポリペプチド、ペプチド、およびタンパク質（たとえばホルモン、成長因子、抗体、抗体フラグメント、および酵素）；炭水化物および多糖類；ならびに核酸、二本鎖または一本鎖ＤＮＡ（裸およびｃＤＮＡを含む）、ＲＮＡ、アンチセンスＤＮＡおよびＲＮＡなどのアンチセンス核酸、低分子干渉ＲＮＡ（ｓｉＲＮＡ）、リボザイム、遺伝子、およびオリゴヌクレオチドを含むことができる。核酸は、ベクター、プラスミド、またはリポソームなどの分子送達システムに組み込むことができる。これらの薬物の１つまたはそれ以上の混合物もまた、企図される。
【００７０】
用語「薬物送達デバイス」は、薬物をヒトまたは動物の体内に投薬するように構成されたあらゆるタイプのデバイスまたはシステムを包含するものである。限定されることなく、薬物送達デバイスは、注射デバイス（たとえばシリンジ、ペン型注射器、自動注射器、大容量デバイス、ポンプ、かん流システム、または眼内、皮下、筋肉内、もしくは血管内送達にあわせて構成された他のデバイス）、皮膚パッチ（たとえば、浸透圧性、化学的、マイクロニードル）、吸入器（たとえば鼻用または肺用）、埋め込み（たとえば、コーティングされたステント、カプセル）、または胃腸管用の供給システムとすることができる。ここに説明される薬物は、針、たとえば小ゲージ針を含む注射デバイスで特に有用であることができる。
【００７１】
薬物または薬剤は、薬物送達デバイスで使用するように適用された主要パッケージまたは「薬物容器」内に含むことができる。薬物容器は、たとえば、カートリッジ、シリンジ、リザーバ、または１つまたはそれ以上の薬学的に活性な化合物の保存（たとえば短期または長期保存）に適したチャンバを提供するように構成された他の容器とすることができる。たとえば、一部の場合、チャンバは、少なくとも１日（たとえば１日から少なくとも３０日まで）の間薬物を保存するように設計することができる。一部の場合、チャンバは、約１カ月から約２年の間薬物を保存するように設計することができる。保存は、室温（たとえば約２０℃）または冷蔵温度（たとえば約−４℃から約４℃まで）で行うことができる。一部の場合、薬物容器は、薬物製剤の２つまたはそれ以上の成分（たとえば薬物および希釈剤、または２つの異なるタイプの薬物）を別々に、各チャンバに１つずつ保存するように構成された二重チャンバカートリッジとすることができ、またはこれを含むことができる。そのような場合、二重チャンバカートリッジの２つのチャンバは、ヒトまたは動物の体内に投薬する前、および／または投薬中に薬物または薬剤の２つまたはそれ以上の成分間で混合することを可能にするように構成することができる。たとえば、２つのチャンバは、これらが（たとえば２つのチャンバ間の導管によって）互いに流体連通し、所望の場合、投薬の前にユーザによって２つの成分を混合することを可能にするように構成することができる。代替的に、またはこれに加えて、２つのチャンバは、成分がヒトまたは動物の体内に投薬されているときに混合することを可能にするように構成することができる。
【００７２】
本明細書において説明される薬物送達デバイスおよび薬物は、数多くの異なるタイプの障害の処置および／または予防に使用することができる。例示的な障害は、たとえば、糖尿病、または糖尿病性網膜症などの糖尿病に伴う合併症、深部静脈血栓塞栓症または肺血栓塞栓症などの血栓塞栓症を含む。さらなる例示的な障害は、急性冠症候群（ＡＣＳ）、狭心症、心筋梗塞、がん、黄斑変性症、炎症、枯草熱、アテローム性動脈硬化症および／または関節リウマチである。
【００７３】
糖尿病または糖尿病に伴う合併症の処置および／または予防のための例示的な薬物は、インスリン、たとえばヒトインスリン、またはヒトインスリン類似体もしくは誘導体、グルカゴン様ペプチド（ＧＬＰ−１）、ＧＬＰ−１類似体もしくはＧＬＰ−１受容体アゴニスト、またはその類似体もしくは誘導体、ジペプチジルペプチダーゼ−４（ＤＰＰ４）阻害剤、または薬学的に許容される塩もしくはその溶媒和物、またはそれらの任意の混合物を含む。本明細書において使用される用語「誘導体」は、元の物質と構造的に十分同様のものであり、それによって同様の機能または活性（たとえば治療効果性）を有することができる任意の物質を指す。
【００７４】
例示的なインスリン類似体は、Ｇｌｙ（Ａ２１），Ａｒｇ（Ｂ３１），Ａｒｇ（Ｂ３２）ヒトインスリン（インスリングラルギン）；Ｌｙｓ（Ｂ３），Ｇｌｕ（Ｂ２９）ヒトインスリン；Ｌｙｓ（Ｂ２８），Ｐｒｏ（Ｂ２９）ヒトインスリン；Ａｓｐ（Ｂ２８）ヒトインスリン；Ｂ２８位におけるプロリンがＡｓｐ、Ｌｙｓ、Ｌｅｕ、Ｖａｌ、またはＡｌａで置き換えられており、Ｂ２９位において、ＬｙｓがＰｒｏで置き換えられていてもよいヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリンおよびＤｅｓ（Ｂ３０）ヒトインスリンである。
【００７５】
例示的なインスリン誘導体は、たとえば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、およびＢ２９−Ｎ−（ω−カルボキシヘプタデカノイル）ヒトインスリンである。例示的なＧＬＰ−１、ＧＬＰ−１類似体およびＧＬＰ−１受容体アゴニストは、たとえば：リキシセナチド（Ｌｉｘｉｓｅｎａｔｉｄｅ）／ＡＶＥ００１０／ＺＰ１０／リキスミア（Ｌｙｘｕｍｉａ）、エキセナチド（Ｅｘｅｎａｔｉｄｅ）／エクセンディン−４（Ｅｘｅｎｄｉｎ−４）／バイエッタ（Ｂｙｅｔｔａ）／ビデュリオン（Ｂｙｄｕｒｅｏｎ）／ＩＴＣＡ６５０／ＡＣ−２９９３（アメリカドクトカゲの唾液腺によって産生される３９アミノ酸ペプチド）、リラグルチド（Ｌｉｒａｇｌｕｔｉｄｅ）／ビクトザ（Ｖｉｃｔｏｚａ）、セマグルチド（Ｓｅｍａｇｌｕｔｉｄｅ）、タスポグルチド（Ｔａｓｐｏｇｌｕｔｉｄｅ）、シンクリア（Ｓｙｎｃｒｉａ）／アルビグルチド（Ａｌｂｉｇｌｕｔｉｄｅ）、デュラグルチド（Ｄｕｌａｇｌｕｔｉｄｅ）、ｒエクセンディン−４、ＣＪＣ−１１３４−ＰＣ、ＰＢ−１０２３、ＴＴＰ−０５４、ラングレナチド（Ｌａｎｇｌｅｎａｔｉｄｅ）／ＨＭ−１１２６０Ｃ、ＣＭ−３、ＧＬＰ−１エリゲン、ＯＲＭＤ−０９０１、ＮＮ−９９２４、ＮＮ−９９２６、ＮＮ−９９２７、ノデキセン（Ｎｏｄｅｘｅｎ）、ビアドール（Ｖｉａｄｏｒ）−ＧＬＰ−１、ＣＶＸ−０９６、ＺＹＯＧ−１、ＺＹＤ−１、ＧＳＫ−２３７４６９７、ＤＡ−３０９１、ＭＡＲ−７０１、ＭＡＲ７０９、ＺＰ−２９２９、ＺＰ−３０２２、ＴＴ−４０１、ＢＨＭ−０３４、ＭＯＤ−６０３０、ＣＡＭ−２０３６、ＤＡ−１５８６４、ＡＲＩ−２６５１、ＡＲＩ−２２５５、エキセナチド（Ｅｘｅｎａｔｉｄｅ）−ＸＴＥＮおよびグルカゴン−Ｘｔｅｎである。
【００７６】
例示的なオリゴヌクレオチドは、たとえば：家族性高コレステロール血症の処置のためのコレステロール低下アンチセンス治療薬である、ミポメルセン（ｍｉｐｏｍｅｒｓｅｎ）／キナムロ（Ｋｙｎａｍｒｏ）である。
【００７７】
例示的なＤＰＰ４阻害剤は、ビルダグリプチン（Ｖｉｌｄａｇｌｉｐｔｉｎ）、シタグリプチン（Ｓｉｔａｇｌｉｐｔｉｎ）、デナグリプチン（Ｄｅｎａｇｌｉｐｔｉｎ）、サキサグリプチン（Ｓａｘａｇｌｉｐｔｉｎ）、ベルベリン（Ｂｅｒｂｅｒｉｎｅ）である。
【００７８】
例示的なホルモンは、ゴナドトロピン（フォリトロピン、ルトロピン、コリオンゴナドトロピン、メノトロピン）、ソマトロピン（ソマトロピン）、デスモプレシン、テルリプレシン、ゴナドレリン、トリプトレリン、ロイプロレリン、ブセレリン、ナファレリン、およびゴセレリンなどの、脳下垂体ホルモンまたは視床下部ホルモンまたは調節性活性ペプチドおよびそれらのアンタゴニストを含む。
【００７９】
例示的な多糖類は、グルコサミノグリカン、ヒアルロン酸、ヘパリン、低分子量ヘパリン、もしくは超低分子量ヘパリン、またはそれらの誘導体、または上述の多糖類の硫酸化形態、たとえば、ポリ硫酸化形態、および／または、薬学的に許容されるそれらの塩を含む。ポリ硫酸化低分子量ヘパリンの薬学的に許容される塩の例としては、エノキサパリンナトリウムがある。ヒアルロン酸誘導体の例としては、ＨｙｌａｎＧ−Ｆ２０／Ｓｙｎｖｉｓｃ、ヒアルロン酸ナトリウムがある。
【００８０】
本明細書において使用する用語「抗体」は、免疫グロブリン分子またはその抗原結合部分を指す。免疫グロブリン分子の抗原結合部分の例は、抗原を結合する能力を保持するＦ（ａｂ）およびＦ（ａｂ’）２フラグメントを含む。抗体は、ポリクローナル、モノクローナル、組換え型、キメラ型、非免疫型またはヒト化、完全ヒト型、非ヒト型（たとえばマウス）、または一本鎖抗体とすることができる。いくつかの実施形態では、抗体はエフェクター機能を有し、補体を固定することができる。いくつかの実施形態では、抗体は、Ｆｃ受容体と結合する能力が低く、または結合することはできない。たとえば、抗体は、アイソタイプもしくはサブタイプ、抗体フラグメントまたは変異体とすることができ、Ｆｃ受容体との結合を支持せず、たとえば、これは、突然変異したまたは欠失したＦｃ受容体結合領域を有する。
【００８１】
用語「フラグメント」または「抗体フラグメント」は、全長抗体ポリペプチドを含まないが、抗原と結合することができる全長抗体ポリペプチドの少なくとも一部分を依然として含む、抗体ポリペプチド分子（たとえば、抗体重鎖および／または軽鎖ポリペプチド）由来のポリペプチドを指す。抗体フラグメントは、全長抗体ポリペププチドの切断された部分を含むことができるが、この用語はそのような切断されたフラグメントに限定されない。本発明に有用である抗体フラグメントは、たとえば、Ｆａｂフラグメント、Ｆ（ａｂ’）２フラグメント、ｓｃＦｖ（一本鎖Ｆｖ）フラグメント、直鎖抗体、二重特異性、三重特異性、および多重特異性抗体（たとえば、ダイアボディ、トリアボディ、テトラボディ）などの単一特異性または多重特異性抗体フラグメント、ミニボディ、キレート組換え抗体、トリボディまたはバイボディ、イントラボディ、ナノボディ、小モジュラー免疫薬（ＳＭＩＰ）、結合ドメイン免疫グロブリン融合タンパク質、ラクダ化抗体、およびＶＨＨ含有抗体を含む。抗原結合抗体フラグメントのさらなる例は、当技術分野で知られている。
【００８２】
用語「相補性決定領域」または「ＣＤＲ」は、特異的抗原認識を仲介する役割を主に担う重鎖および軽鎖両方のポリペプチドの可変領域内の短いポリペプチド配列を指す。用語「フレームワーク領域」は、ＣＤＲ配列ではなく、ＣＤＲ配列の正しい位置決めを維持して抗原結合を可能にする役割を主に担う重鎖および軽鎖両方のポリペプチドの可変領域内のアミノ酸配列を指す。フレームワーク領域自体は、通常、当技術分野で知られているように、抗原結合に直接的に関与しないが、特定の抗体のフレームワーク領域内の特定の残基が、抗原結合に直接的に関与することができ、またはＣＤＲ内の１つまたはそれ以上のアミノ酸が抗原と相互作用する能力に影響を与えることができる。
【００８３】
例示的な抗体は、アンチＰＣＳＫ−９ｍＡｂ（たとえばアリロクマブ（Ａｌｉｒｏｃｕｍａｂ））、アンチＩＬ−６ｍＡｂ（たとえばサリルマブ（Ｓａｒｉｌｕｍａｂ））、およびアンチＩＬ−４ｍＡｂ（たとえばデュピルマブ（Ｄｕｐｉｌｕｍａｂ））である。
【００８４】
本明細書において説明される化合物は、（ａ）化合物または薬学的に許容されるその塩、および（ｂ）薬学的に許容される担体を含む医薬製剤において使用することができる。化合物はまた、１つまたはそれ以上の他の医薬品有効成分を含む医薬製剤、または存在する化合物またはその薬学的に許容される塩が唯一の有効成分である医薬製剤において使用することもできる。したがって、本開示の医薬製剤は、本明細書において説明される化合物および薬学的に許容される担体を混合することによって作られる任意の製剤を包含する。
【００８５】
本明細書において説明される任意の薬物の薬学的に許容される塩もまた、薬物送達デバイスにおける使用に企図される。薬学的に許容される塩は、たとえば酸付加塩および塩基性塩である。酸付加塩は、たとえば、ＨＣｌまたはＨＢｒ塩である。塩基性塩は、たとえば、アルカリもしくはアルカリ土類金属、たとえばＮａ＋、もしくはＫ＋、もしくはＣａ２＋、またはアンモニウムイオンＮ＋（Ｒ１）（Ｒ２）（Ｒ３）（Ｒ４）（式中、Ｒ１からＲ４は互いに独立して：水素、場合により置換されたＣ１〜Ｃ６−アルキル基、場合により置換されたＣ２〜Ｃ６−アルケニル基、場合により置換されたＣ６〜Ｃ１０−アリル基、または場合により置換されたＣ６〜Ｃ１０−ヘテロアリール基を意味する）から選択されるカチオンを有する塩である。薬学的に許容される塩のさらなる例は、当業者に知られている。
【００８６】
薬学的に許容される溶媒和物は、たとえば、水和物またはメタノラート（ｍｅｔｈａｎｏｌａｔｅ）またはエタノラート（ｅｔｈａｎｏｌａｔｅ）などのアルカノラート（ａｌｋａｎｏｌａｔｅ）である。
【００８７】
本発明の完全な範囲および趣旨から逸脱することなく、本明細書に記載するＡＰＩ、物質、製剤、装置、方法、システム、および実施形態の様々な構成要素に修正（追加および／または除去）を加えることができ、本発明は、そのような修正およびそのあらゆる均等物を包含することが、当業者には理解されよう。
【図１Ａ】
2019517369.tif 000003
【図１Ｂ】
2019517369.tif 000004
【図２】
2019517369.tif 000005
【図３】
2019517369.tif 000006
【図４】
2019517369.tif 000007
【図５】
2019517369.tif 000008
【図６】
2019517369.tif 000009
【図７】
2019517369.tif 000010
【図８】
2019517369.tif 000011
【図９】
2019517369.tif 000012
【図１０】
2019517369.tif 000013
【図１１】
2019517369.tif 000014
【図１２】
2019517369.tif 000015
【国際調査報告】
2019517369.tif 000016
2019517369.tif 000017
2019517369.tif 000018
2019517369.tif 000019